(57)【要約】【課題】構造の複雑化とシール機能の耐久信頼性の低下を招くことなく、シール時の打音が抑制される車両用空調装置を提供すること。【解決手段】このため、空調ケース１に形成された空調風の吹き出し口（１５，１２、９、１３）が、回動軸（１７ｄ、１７ｖ、１７ｆ）を中心として回動されるモードドア（１４、１１、６）を用いて開閉されることにより、吹き出しモードが切替えられる車両用空調装置Uにおいて、前記モードドアは、ドア側シール部（１６ｄ、１６ｖ、１６ｆ）とケース側シール部（１ｄ、１ｖ、１ｆ）のうち少なくとも一方の形状設定により、前記モードドアの閉度の増大に応じてシール部の接触面積を漸次増大させて、前記吹き出し口を漸次縮小する静音シール構造を備えるようにし、ドア側シール部とケース側シール部との相対的スピードが極大となる吹き出し口の全閉寸前にて、両シール部が相互接触していない残りの面積が極力小さくなるようにした。【選択図】図２
2009073233.tif 000002
【特許請求の範囲】
【請求項１】
空調ケースに形成された空調風の吹き出し口が、回動軸を中心として回動されるモードドアを用いて開閉されることにより、吹き出しモードが切替えられる車両用空調装置において、
前記モードドアは、ドア側シール部とケース側シール部のうち少なくとも一方の形状設定により、前記モードドアの閉度の増大に応じてシール部の接触面積を漸次増大させて、前記吹き出し口を漸次縮小する静音シール構造を備えたことを特徴とする車両用空調装置。
【請求項２】
請求項１に記載した車両用空調装置において、
前記静音シール構造は、前記ドア側シール部に設定し、前記ケース側シール部に最初に圧接される初期圧接点から離れるに従って前記モードドアの回動軸に向かって漸次傾斜するよう形状設定して、該ドア側シール部と該ケース側シール部との相互接近により該初期圧接点から漸次撓む可撓性シール部材により構成したことを特徴とする車両用空調装置。
【請求項３】
請求項１に記載した車両用空調装置において、
前記静音シール構造は、前記ドア側シール部に設定し、前記ケース側シール部に最初に圧接される初期圧接点から離れるに従って前記モードドアの閉じ動作の方向に逆行する方向に向かって漸次傾斜するよう形状設定して、該ドア側シール部と該ケース側シール部との相互接近により該初期圧接点から漸次撓む可撓性シール部材により構成したことを特徴とする車両用空調装置。
【請求項４】
請求項１に記載した車両用空調装置において、
前記静音シール構造は、前記ドア側シール部に設定し、前記ケース側シール部に最初に圧接される初期圧接点から離れるに従って前記モードドアの回動軸の方向と前記モードドアの閉じ動作の方向に逆行する方向との合成方向に漸次傾斜するよう形状設定して、該ドア側シール部と該ケース側シール部との相互接近により該初期圧接点から漸次撓む可撓性シール部材により構成したことを特徴とする車両用空調装置。
【請求項５】
請求項２乃至請求項４の何れか１項に記載した車両用空調装置において、
前記初期圧接点を、前記可撓性シール部材のうち前記回動軸の軸方向片端の位置に設定したことを特徴とする車両用空調装置。
【請求項６】
請求項２乃至請求項４の何れか１項に記載した車両用空調装置において、
前記初期圧接点を、前記可撓性シール部材のうち前記回動軸の軸方向両端から等距離の中央位置に設定したことを特徴とする車両用空調装置。
【請求項７】
請求項２乃至請求項６の何れか１項に記載した車両用空調装置において、
前記静音シール構造は、ケース側シール部に設定し、前記ドア側シール部が最初に圧接される初期圧接点から離れるに従って前記モードドアの閉じ動作の方向に向かって漸次傾斜するよう形状設定した傾斜面を有することを特徴とする車両用空調装置。
【発明の詳細な説明】
【技術分野】
【０００１】
本発明は、空調ケースに形成された空調風の吹き出し口が、回動軸を中心として回動されるモードドアを用いて開閉されることにより、吹き出しモードが切替えられる車両用空調装置に関する。
【背景技術】
【０００２】
従来、空調装置内部のモードドアの開度が小さいとき（シール部の微小開口時）に顕著化する「ヒュー」という耳障りな異音を解消することを目的として、モードドアの外縁部に弾性材からなるシール部を設け、空調ケース内のシール部よりも下流側にシール面を形成し、このシール面と反対側部位（上流側）に多数のリブを互いに所定間隔を隔てて歯状に突出形成した車両用空調装置が知られている（例えば、特許文献１参照）。
【特許文献１】特開2005−205990号公報
【発明の開示】
【発明が解決しようとする課題】
【０００３】
しかしながら、従来の車両用空調装置にあっては、前記異音はシール部の微小間隙を通過する空調風がモードドアの背面側に渦を生じさせることに起因することを見出し、ドア先端部のシール部に多数のリブを所定間隔で歯状に突出形成させて空気の乱れを作り、前記渦を解消して前記異音を低減するものであった。
【０００４】
即ち、従来の構造によっては、シール時のモードドアと空調ケースの相互圧接による耳障りな打音を抑止することは困難であり、また、車両用空調装置の構造の複雑化、シール機能の耐久信頼性の低下を招く点も懸念されていた。
【０００５】
本発明は、上記問題に着目してなされたもので、構造の複雑化とシール機能の耐久信頼性の低下を招くことなく、シール時の打音が抑制される車両用空調装置を提供することを目的とする。
【課題を解決するための手段】
【０００６】
上記課題を解決するために、本発明の特徴部分は、空調ケースに形成された空調風の吹き出し口が、回動軸を中心として回動されるモードドアを用いて開閉されることにより、吹き出しモードが切替えられる車両用空調装置において、
前記モードドアは、ドア側シール部とケース側シール部のうち少なくとも一方の形状設定により、前記モードドアの閉度の増大に応じてシール部の接触面積を漸次増大させて、前記吹き出し口を漸次縮小する静音シール構造を備えたことである。
【発明の効果】
【０００７】
よって、本発明の車両用空調装置では、空調風の吹き出し口は、モードドアの閉度の増大に応じてシール部の接触面積を漸次増大させて前記吹き出し口を漸次縮小する静音シール構造を備えたモードドアの開閉により切替えられる。そして、この静音シール構造は、モードドアのドア側シール部とケース側シール部のうち少なくとも一方の形状設定により構築される。
【０００８】
即ち、本発明の車両用空調装置では、前記静音シール構造によりモードドアの瞬間的な全閉動作が抑制されることから、吹き出し口のシール時にて、空気の振動が低減されて打音が抑制される。また、静音シール構造の形状設定に関し、空気の乱れを作る技術思想に基づいた従来技術の如く、ドア先端部のシール部に多数のリブを所定間隔で歯状に突出形成させる必要性はなく、例えば、前記静音シール構造は、前記ケース側シール部に最初に圧接される初期圧接点から離れるに従って前記モードドアの回動軸に向かって漸次傾斜するよう形状設定し、前記ドア側シール部に設けられて該ドア側シール部と前記ケース側シール部の相互接近により撓む可撓性シール部材により構成すれば実現されるものであって、従来技術に比べると車両用空調装置の構造の複雑化や耐久信頼性の低下の問題は小さいといえよう。
【０００９】
故に、本発明の車両用空調装置では、構造の複雑化とシール機能の耐久信頼性の低下を招くことなく、シール時の打音が抑制される。
【発明を実施するための最良の形態】
【００１０】
以下、本発明の車両用空調装置を実現する最良の形態を、図面に示す実施例１乃至実施例４に基づいて説明する。
【実施例１】
【００１１】
まず、構成を説明する。
図１は実施例１の静音シール構造が適用されたモードドアを備えた車両用空調装置の断面図である。図２は実施例１の静音シール構造が適用されたモードドアの拡大斜視図である。図３は実施例１の静音シール構造が適用されたモードドアと吹き出し口（閉鎖時）の関係図であり、図１に示したZ方向に向かって見た場合の図である。
【００１２】
実施例１の静音シール構造が適用された車両用空調装置Uは、図１に示すように、空調ケース１に、空気を導入して車室に向かう空気流を発生させる送風機（所謂ブロワファン）１０と、ブロワファン１０の下流側に配置され、導入された空調風から熱を吸収して冷風を作り出す冷房用熱交換器（所謂エバポレータ）３と、エバポレータ３の下流側に配置され、エンジン冷却水を熱源として前記冷風を加熱して温風を作り出す暖房用熱交換器（所謂ヒータコア）４と、クリーンフィルタ２とを備える。
【００１３】
空調ケース１の空調風路は、ヒータコア４を迂回する冷風バイパス通路７と、前記冷風をヒータコア４が配置された温風通路８と、これら両通路が合流するエアミックス部Mとで形成され、エアミックスドア５の位置調節により、冷風バイパス通路７と温風通路８とを通過する冷風の分配調節が行なわれて空調風の温調が行なわれるようになっている。
【００１４】
空調ケース１の空調風路の下流部には、車両のフロントガラス位置に向けて前記温調された空調風を吹き出すためのデフ吹き出し口１５と、乗員の上半身位置に向けて空調風を吹き出すためのベント吹き出し口１２と、乗員の足元位置に向けて空調風を吹き出すためのフット吹き出し口９及びリアフット吹き出し口１３とが設けられている。
【００１５】
前記吹き出し口（１５、１２、９、１３）の上流側には、所謂バタフライドアたるモードドアとして、デフドア１４、ベントドア１１、フットドア６が、それぞれ回動軸１７ｄ、１７ｖ、１７ｆを中心に回動されるように設けられている。これらモードドアの回動に基づいた吹き出し口の開閉により吹き出しモードの切替えが可能となっている。
【００１６】
前記モードドア（１４、１１、６）は、それぞれドア側シール部１６ｄ、１６ｖ、１６ｆの形状設定により、前記モードドアの閉度の増大に応じてシール部の接触面積を漸次増大させて、前記吹き出し口を漸次縮小する静音シール構造を備えている。なお、ケース側シール部１ｄ、１ｖ、１ｆ（各々のモードドアのドア側シール部が圧接する部分）は、シール時にて扁形なモードドアの広がり方向と非平行な傾斜面として形成されている（ドア側シール部とケース側シール部とで角度θが形成されている）。
【００１７】
前記静音シール構造は、図２（図２は、ベントドア１１に関連する構成を例示したものであるが、他のモードドア（１４、６）についても同様である。）に示すように、ドア側シール部１６ｖとして設定し、ケース側シール部１ｖに最初に圧接される初期圧接点ｐ１から離れるに従ってベントドア１１の回動軸１７ｖに向かって漸次傾斜するよう形状設定され、ドア側シール部１６ｖとケース側シール部１ｖとの相互接近により、前記初期圧接点ｐ１から漸次撓む可撓性シール部材１６ｖ（ドア側シール部１６ｖ）により構成されている。また、初期圧接点ｐ１は、この可撓性シール部材１６ｖのうち回動軸１７ｖの軸方向片端の位置に設定されている。
【００１８】
即ち、前記可撓性シール部材１６ｖは、図４に示すように、初期圧接点ｐ１がケース側シール部１ｖに圧接した初期では、初期圧接点ｐ１から離れた位置において、可撓性シール部材１６ｖとケース側シール部１ｖとが接触せずに吹き出し口が微小開口した状態（図２に示すL1だけ互いに微小量離間した状態）となるように形成されている。また、この可撓性シール部材１６ｖは、図３に示すように、ベント吹き出し口１２をその開口縁部よりも広く覆い、初期圧接点ｐ１の近傍、即ち、A-A断面線の近傍では、他の部分に比べてベント吹き出し口１２を一層広く覆うものとなっている。
【００１９】
なお、前記可撓性シール部材１６ｖは、熱可塑性エラストマを用いて構成される。この熱可塑性エラストマは、常温ではゴム弾性を示し、高温加熱時には溶融して流動性を示し、熱可塑性樹脂と同様に射出成形できるものである。一方、ベントドア１１は、機械的強度の高い熱可塑性樹脂にて構成されている。従って、ベントドア１１とドア側シール部１６ｖとを成形金型内にて一体成形することが容易である。また、以上説明した静音シール構造は、デフドア１４のドア側シール部１６ｄ、フットドア６のドア側シール部１６ｆにも採用されている。
【００２０】
次に、作用を説明する。
図４は実施例１の静音シール構造の作用説明図であり、（a-１）は吹き出し口の全閉寸前の図３に示すA-A断面図、（a-2）は同じくB-B断面図、（a-3）は同じくC-C断面図、（ｂ-1）は吹き出し口の全閉時の図３のA-A断面図、（ｂ-2）は同じくB-B断面図、（ｂ-3）は同じくC-C断面図である。以下、実施例１の静音シール構造の作用を説明する。
【００２１】
最初に、実施例１の静音シール構造を備えた車両用空調装置Uの動作の概要を説明する。車両用空調装置Uでは、ブロワファン１０を駆動させると内外気切替えドア（不図示）により選択された内気または外気が空調ケース１に導入され、ブロワファン１０の下流に配置される熱交換器（３，４）、熱交換器の下流に配置されるエアミックス部Mに向かって送風されていく。エアミックス部Mの混合空調風の温調は、車室設定温度が考慮され、エアミックスドア５の位置調節により行なわれる冷風バイパス通路７或いは温風通路８を通過する空調風の量的調節により行なわれる。
【００２２】
かくして温調された空調風は、吹き出しモード（デフモード、ベントモード、フットモード）に応じて、モードドア（１４、１１、６）の回動にて開閉されるデフ吹き出し口１５、ベント吹き出し口１２、フット吹き出し口９及びリアフット吹き出し口１３から吹き出されていく。なお、モードドアは、図示しないアクチュエータの駆動力を受けてそれぞれ回動軸１７ｄ、１７ｖ、１７ｆを中心として回動制御される。
【００２３】
このとき、ベント吹き出し口１２を例にすると、ブロワファン１０の駆動により空調ケース１に取り込まれる空気の流量は一定であるのに対してベント吹き出し口１２から吹き出される空調風の流量はベントドア１１の閉度増大（吹き出し口の開口面積減少）に応じて減少していく。そのため、特にベント吹き出し口１２がベントドア１１により全閉される寸前にあっては、特にベントドア１１の上流側（高圧）と下流側（低圧）との圧力差が大きくなる。そして、この圧力差の増加に起因し、ベントドア１１に対してその閉じ方向への押圧が作用して、ドア側シール部１６ｖとケース側シール部１ｖとの相互接触寸前の相対的スピードが増加する。従来は、吹き出し口のシール時に、ドア側シール部とケース側シール部とが大きな相対的スピードでその全面が同時に接触するといえるもので、どうしてもモードドアの切替えの際に耳障りな打音が発生してしまうという問題があった。
【００２４】
実施例１の空調装置Uでは、ベントドア１１が開から閉へ状態が切替えられると、可撓性シール部材１６ｖ（ドア側シール部材１６ｖ）は、図４（a-1）に示すように、最初に可撓性シール部材１６ｖの初期圧接点ｐ１（図２）がベント吹き出し口１２のドア側シール部１ｖに圧接される。なお、図４（a-1）は、図３のA-A断面である。
【００２５】
このとき、ベント吹き出し口１２に、初期圧接点ｐ１から離れた位置（図３のB-B断面）では、ドア側シール部１６ｖとケース側シール部１ｖとで微小間隙が形成され、また、この微小間隙は、初期圧接点ｐ１から離れるほど大きくなる（図４（a-2）、（a-3））。なお、図４（a-2）は、図３のB-B断面であり、図４（a-3）は、図３のC-C断面である。
【００２６】
そのため、ベントドア１１の閉じ動作の際、ドア側シール部１６ｖは、その全領域が同時にケース側シール部１ｖに圧接されることはなく、ベントドア１１の閉度の増大に応じてドア側シール部１６ｖとケース側シール部１ｖとの相互圧接部分が漸次増大（ベント吹き出し口１２は漸次縮小）して、ベント吹き出し口１２の全閉に至るようになる。なお、図４（ｂ-１）、（ｂ-2）、（ｂ-3）は、ベント吹き出し口１２の全閉時の該吹き出し口の断面、つまり、この順に図３のA-A断面、B-B断面、C-C断面（この順に初期圧接点ｐ１から近い）を示すものである。
【００２７】
即ち、ベントドア１１の閉度が進むと、ドア側シール部１６ｖとケース側シール部１ｖとの相対的スピードは大きくなるが、ドア側シール部１６ｖとケース側シール部１ｖとが相互接触していない残りの面積については漸次減少していくため、シール時のドア側シール部１６ｖとケース側シール部１ｖとの相互圧接に起因する打音は小さくなる。
【００２８】
また、可撓性シール部材１６ｖの形状設定に関し、空気の乱れを作る従来技術の如くドア先端部のシール部に多数のリブを所定間隔で歯状に突出形成させたものではなく、ケース側シール部１ｖに最初に圧接される初期圧接点ｐ１から離れるに従ってベントドア１１の回動軸１７ｖに向かって漸次傾斜するよう形状を設定したものであることから、従来技術に比べて車両用空調装置の構造の複雑化や耐久信頼性の低下の問題が低減される。
【００２９】
また、この可撓性シール部材１６ｖは、図３に示すように、ベント吹き出し口１２の開口縁部よりも広く覆い、初期圧接点ｐ１（図２）の近傍、即ち、A-A断面線（図３）の近傍では、他の部分に比べてベント吹き出し口１２をより一層大きく覆うものとなる。このため、初期圧接点ｐ１近傍にて可撓性シール部材１６ｖが多少欠損等しても、静音シール構造のシール機能が維持されるものとなる。なお、デフドア１４の静音シール構造たる可撓性シール部材１６ｄ（ドア側シール部１６ｄ）、フットドア６の静音シール構造たる可撓性シール部材１６ｆ（ドア側シール部１６ｆ）についても同様な作用を持つ。
【００３０】
次に、効果を説明する。
実施例１の車両用空調装置にあっては、下記に列挙する効果を得ることができる。
【００３１】
(1) 空調ケース１に形成された空調風の吹き出し口（１５、１２、９、１３）が、回動軸（１７d、１７v、１７ｆ）を中心として回動されるモードドア（１４，１１，６）を用いて開閉されることにより、吹き出しモードが切替えられる車両用空調装置Uにおいて、前記モードドアは、ドア側シール部（１６ｄ、１６ｖ、１６ｆ）の形状設定により、前記モードドアの閉度の増大に応じてシール部の接触面積を漸次増大させて、前記吹き出し口を漸次縮小する静音シール構造を備えたため、シール時の打音が抑制される。
【００３２】
(2) 前記静音シール構造は、前記ドア側シール部に設定し、前記ケース側シール部に最初に圧接される初期圧接点ｐ１から離れるに従って前記モードドアの回動軸に向かって漸次傾斜するよう形状設定して、該ドア側シール部と該ケース側シール部との相互接近により該初期圧接点から漸次撓む可撓性シール部材（１６ｄ、１６ｖ、１６ｆ）により構成したため、構造の複雑化とシール機能の耐久信頼性の低下を招くことがない。
【００３３】
(3) 前記初期圧接点ｐ１を、前記可撓性シール部材のうち前記回動軸の軸方向片端の位置に設定したため、シール時の隙間を防止するために左右対称に形状を整える必要がなく、製造の容易化が図られる。
【実施例２】
【００３４】
実施例２は、実施例１の静音シール構造の形状を変更した例である。
【００３５】
まず、構成を説明する。図５は実施例２の静音シール構造が適用されたモードドアの拡大斜視図である。
実施例２の静音シール構造では、図５に示すように、初期圧接点ｐ２が可撓性シール部材１６２ｖのうち回動軸１７ｖの軸方向両端から等距離の位置（中央位置）に設定されている。
【００３６】
即ち、初期圧接点ｐ２がケース側シール部１ｖと圧接した初期では、初期圧接点ｐ２から離れた位置において、可撓性シール部材１６２ｖとケース側シール部１ｖとが接触せずに吹き出し口が微小開口した状態（図５に示すように互いに微小量L２だけ離間した状態）となるように形成されている。なお、他の構成は、実施例１と同様であるので、対応する構成に同一符号を付して説明を省略する。また、デフドア１４、フットドア６の静音シール構造についても同様である。
【００３７】
次に、作用を説明する。
【００３８】
実施例２の静音シール構造にあっては、ベント吹き出し口１２の閉鎖時にベントドア１１のドア側シール部１６２ｖがケース側シール部１ｖに圧接されるときに作用するベントドア１１の回動方向に抗する負荷が均等化され、即ち、該負荷の偏在（局所的な負荷）が防止される。なお、他の作用は、実施例１と同様であるので説明を省略する。また、デフドア１４、フットドア６の静音シール構造についても同様である。
【００３９】
次に、効果を説明する。
実施例２の静音シール構造にあっては、実施例１の(1)及び(2)の効果に加え、下記の効果を得ることができる。
(4) 初期圧接点ｐ２を、可撓性シール部材１６２ｖのうち回動軸１７ｖの軸方向両端から等距離の位置（中央位置）に設定したため、ベントドア１６２ｖの耐久信頼性が向上する。デフドア１４、フットドア６の静音シール構造についても同様である。
【実施例３】
【００４０】
実施例３は、実施例１の静音シール部材の形状を変更した例である。
【００４１】
まず、構成を説明する。図６は実施例３の静音シール構造が適用されたモードドアの拡大斜視図である。
【００４２】
実施例２の静音シール構造は、ドア側シール部１６３ｖに設定し、ケース側シール部１ｖ（図１）に最初に圧接される初期圧接点ｐ３から離れるに従ってベントドア１１の閉じ動作の方向（図６の矢印Vの方向）に逆行する方向に向かって漸次傾斜するよう形状設定して、ドア側シール部１６３ｖとケース側シール部１ｖとの相互接近により初期圧接点ｐ３から漸次撓む可撓性シール部材１６３vにより構成されている。
【００４３】
即ち、初期圧接点ｐ３がケース側シール部１ｖと圧接した初期では、初期圧接点ｐ３から離れた位置において、初期圧接点ｐ３とケース側シール部１ｖとが接触せずに吹き出し口が微小開口した状態（図６に示すように互いに微小量L３だけ離間した状態）となるように形成されている。なお、他の構成は、実施例１と同様であるので、対応する構成に同一符号を付して説明を省略する。また、デフドア１４、フットドア６の静音シール構造についても同様である。
【００４４】
次に、作用を説明する。
実施例１及び実施例２のように、可撓性シール部材１６３ｖをベントドア１１の回動方向と直交する方向（図６の矢印Hの方向）に延設する量を変えるものではなく、ベントドア１１の閉じ動作の方向（図６の矢印Vの方向）に逆行する方向に向かって漸次傾斜させたため、ケース側シール部１ｖについては、矢印Hの方向と水平な面であっても、ベントドア１１の閉度に応じて可撓性シール部材１６３ｖ（ドア側シール部１６３ｖ）とケース側シール部１ｖとの接触面積が増大するようにできる。
【００４５】
次に、効果を説明する。
実施例３の静音シール構造にあっては、実施例１の(1)及び(2)の効果に加え、下記の効果を得ることができる。
(5) 静音シール構造は、前記ドア側シール部１６３ｖに設定し、前記ケース側シール部１ｖに最初に圧接される初期圧接点ｐ３から離れるに従ってベントドア１１の閉じ動作の方向に逆行する方向に漸次傾斜するよう形状設定して、ドア側シール部１６３vとケース側シール部１ｖとの相互接近により初期圧接点ｐ３から漸次撓む可撓性シール部材１６３ｖにより構成したため、ケース側シール部１ｖを、ドア側シール部１６３ｖとケース側シール部１ｖとで形成される角度θの傾斜面（図１）を有するよう構成する必要がなくなるので、ケース側シール部１ｖの構造を簡素化できる。
【実施例４】
【００４６】
実施例４は、実施例１の静音シール構造を設ける対象を変更した例である。
【００４７】
まず、構成を説明する。図７は実施例４の静音シール構造が適用されたモードドアの正面図である。図８は実施例４の静音シール構造が適用されたモードドアと吹き出し口（閉鎖時）の関係図であり、図１（実施例１）に示したZ方向に向かって見た場合の図である。
【００４８】
実施例２の静音シール構造は、ケース側シール部１ｖ´に設定し、ドア側シール部１６４ｖ（実施例１で説明した角度θの傾斜面は設定していない。）が、最初に圧接される初期圧接点ｐ４から離れるに従ってベントドア１１の閉じ動作の方向に向かって漸次傾斜するよう形状設定した傾斜面が設定されている。
【００４９】
即ち、初期圧接点ｐ４がケース側シール部１ｖ´と圧接した初期では、初期圧接点ｐ４から離れた位置において、初期圧接点ｐ４とケース側シール部１ｖ´とが接触せずに吹き出し口が微小開口した状態（図７に示すように互いに微小量L４だけ離間した状態）となるように形成されている。
【００５０】
また、この可撓性シール部材１６４ｖは、図８に示すように、ベント吹き出し口１２をその開口縁部よりも広く覆い、初期圧接点ｐ１の近傍、即ち、D-D断面線の近傍では、他の部分に比べてベント吹き出し口１２を一層広く覆うものとなっている。なお、他の構成は、実施例１と同様であるので、対応する構成に同一符号を付して説明を省略する。また、デフドア１４、フットドア６の静音シール構造についても同様である。
【００５１】
次に、作用を説明する。
図９は実施例４の静音シール構造の作用説明図であり、（a-１）は吹き出し口の全閉寸前の図８に示すD-D断面図、（a-2）は同じくE-E断面図、（a-3）は同じくＦ-Ｆ断面図、（ｂ-1）は吹き出し口の全閉時の図８のD-D断面図、（ｂ-2）は同じくE-E断面図、（ｂ-3）は同じくＦ-Ｆ断面図である。
【００５２】
ベントドア１１が開から閉へ状態が切替えられると、可撓性シール部材１６４ｖ（ドア側シール部材１６４ｖ）は、図９（a-1）に示すように、最初にケース側シール部１ｖ´の初期圧接点ｐ４（図７）がベントドア１１のドア側シール部１ｖと圧接する。なお、図９（a-1）は、図８のD-D断面である。
【００５３】
このとき、この初期圧接点ｐ４から離れた位置（図９のE-E断面）では微小間隙が形成されて、初期圧接点ｐ４から離れるほど該間隙は拡大する（図９（a-2）、（a-3））。なお、図９（a-2）は、図８のE-E断面であり、図９（a-3）は、図８のＦ-Ｆ断面である。また、図８に示すａ点は、図７に示すａ点に対応し、図９に示すａ，ｂ，ｃ点は、図７に示すａ、ｂ、ｃ点に対応し、各図における位置関係を示したものである。
【００５４】
ベントドア１１が閉じ動作にあるとき、ケース側シール部１ｖ´は、その全領域が同時にドア側シール部１６４ｖと圧接するのではなく、ベントドア１１の閉度の増大に応じてドア側シール部１６４ｖとケース側シール部１ｖ´との相互圧接部分が漸次増大（ベント吹き出し口１２が漸次縮小）して、ベント吹き出し口１２の全閉に至るものとなる。なお、図９（ｂ-１）、（ｂ-2）、（ｂ-3）は、ベント吹き出し口１２の全閉時の図８のD-D断面、図８のE-E断面、図８のＦ-Ｆ断面である。
【００５５】
即ち、ベントドア１１の閉度が進むと、前述したベントドア１１の上流側と下流側の圧力差に起因してドア側シール部１６４ｖとケース側シール部１ｖ´との相対的スピードが大きくなるが、ドア側シール部１６４ｖとケース側シール部１ｖ´とが相互接触していない残りの面積については漸次減少していくため、シール時のドア側シール部１６４ｖとケース側シール部１ｖ´との相互圧接に起因する打音は小さくなる。
【００５６】
実施例４の静音シール構造にあっては、ケース側シール部１ｖ´の形状設定に関しては、空気の乱れを作る従来構造の如く多数のリブを所定間隔で歯状に突出形成させたものではなく、ドア側シール部１６４ｖに最初に圧接される初期圧接点ｐ４から離れるに従ってベントドア１１の回動軸に向かって漸次傾斜するよう形状を設定したケース１の内壁である。このため、実施例４の静音シール構造は、従来構造や実施例１乃至実施例３の静音シール構造に比べると、耐久信頼性が良好である。なお、他の作用は、実施例１と同様であるので説明を省略する。また、デフドア１４、フットドア６の静音シー構造についても同様である。
【００５７】
次に、効果を説明する。
実施例４の静音シール構造にあっては、実施例１の(1)の効果に加え、下記の効果を得ることができる。
【００５８】
(６) 前記静音シール構造は、ケース側シール部１ｖ´に設定し、前記ドア側シール部１６４ｖが最初に圧接される初期圧接点ｐ４から離れるに従って前記モードドアの閉じ動作の方向に向かって漸次傾斜するよう形状設定した傾斜面を有するため、静音シール構造の耐久信頼性が良好である。
【００５９】
[構成の代替]
以上、本発明の車両用空調装置を実施例１乃至実施例４に基づき説明してきたが、具体的な構成については、これらの実施例に限られるものではなく、特許請求の範囲の各請求項に係る発明の要旨を逸脱しない限り、設計の変更や追加等は許容される。
【００６０】
即ち、空調ケースに形成された空調風の吹き出し口が、回動軸を中心として回動されるモードドアを用いて開閉されることにより、吹き出しモードが切替えられる車両用空調装置において、前記モードドアは、ドア側シール部とケース側シール部のうち少なくとも一方の形状設定により、前記モードドアの閉度の増大に応じてシール部の接触面積を漸次増大させて、前記吹き出し口を漸次縮小する静音シール構造を備えたものであれば、実施例１乃至実施例４の構成に限るものではない。
【００６１】
実施例１乃至実施例４では、ドア側シール部或いはケース側シール部の何れか一方に静音シール構造を設ける例を示したが、ドア側シール部とケース側シール部の両方に設けてもよい。
【００６２】
また、実施例１乃至実施例４において、前記静音シール構造は、前記ドア側シール部に設定し、前記ケース側シール部に最初に圧接される初期圧接点から離れるに従って前記モードドアの回動軸の方向と前記モードドアの閉じ動作の方向に逆行する方向との合成方向に漸次傾斜するよう形状設定して、該ドア側シール部と該ケース側シール部との相互接近により該初期圧接点から漸次撓む可撓性シール部材により構成してもよい。
【００６３】
さらに、静音シール構造は、モードドアのドア側シール部に設定され、先端部が膨らんで（例えば、断面略円形）、シール時にケース側シール部と圧接する面積が小さくなるよう形状設定された可撓性シール部材により構成してもよい。圧接面積が小さくなることにより、シール時の打音が更に低減されよう。
【図面の簡単な説明】
【００６４】
【図１】実施例１の静音シール構造が適用されたモードドアを備えた車両用空調装置の断面図である。
【図２】実施例１の静音シール構造が適用されたモードドアの拡大斜視図である。
【図３】実施例１の静音シール構造が適用されたモードドアと吹き出し口（閉鎖時）の関係図であり、図１に示したZ方向に向かって見た場合の図である。
【図４】実施例１の静音シール構造の作用説明図であり、（a-１）は吹き出し口の全閉寸前の図３に示すA-A断面図、（a-2）は同じくB-B断面図、（a-3）は同じくC-C断面図、（ｂ-1）は吹き出し口の全閉時の図３のA-A断面図、（ｂ-2）は同じくB-B断面図、（ｂ-3）は同じくC-C断面図である。
【図５】実施例２の静音シール構造が適用されたモードドアの拡大斜視図である。
【図６】実施例３の静音シール構造が適用されたモードドアの拡大斜視図である。
【図７】実施例４の静音シール構造が適用されたモードドアの正面図である。
【図８】実施例４の静音シール構造が適用されたモードドアと吹き出し口（閉鎖時）の関係図であり、図１（実施例１）に示したZ方向に向かって見た場合の図である。
【図９】実施例４の静音シール構造の作用説明図であり、（a-１）は吹き出し口の全閉寸前の図８に示すD-D断面図、（a-2）は同じくE-E断面図、（a-3）は同じくＦ-Ｆ断面図、（ｂ-1）は吹き出し口の全閉時の図３のD-D断面図、（ｂ-2）は同じくE-E断面図、（ｂ-3）は同じくＦ-Ｆ断面図である。
【符号の説明】
【００６５】
１・・・空調ケース，
１１・・・ベントドア（モードドア），
１２・・・ベント吹き出し口（吹き出し口），
１３・・・リアフット吹き出し口（吹き出し口），
１４・・・デフドア（モードドア），
１５・・・デフ吹き出し口（吹き出し口），
１６ｄ・・・デフドアのドア側シール部，デフドアの可撓性シール部，
１６ｖ、１６２ｖ、１６３ｖ、１６４ｖ・・・ベントドアのドア側シール部，デフドアの可撓性シール部，
１６ｆ・・・フットドアのドア側シール部，フットドアの可撓性シール部，
１７ｄ・・・デフドアの回動軸，
１７ｖ・・・ベントドアの回動軸，
１７ｆ・・・フットドアの回動軸，
１ｄ・・・デフ吹き出し口のケース側シール部，
１ｖ・・・ベント吹き出し口のケース側シール部，
１ｆ・・・フット吹き出し口のケース側シール部，
６・・・フットドア（モードドア），
９・・・フット吹き出し口（吹き出し口），
ｐ１，ｐ２，ｐ３，ｐ４・・・初期圧接点，
Ｌ１，Ｌ２，Ｌ３，Ｌ４・・・傾斜．
【図１】
2009073233.tif 000003
【図２】
2009073233.tif 000004
【図３】
2009073233.tif 000005
【図４】
2009073233.tif 000006
【図５】
2009073233.tif 000007
【図６】
2009073233.tif 000008
【図７】
2009073233.tif 000009
【図８】
2009073233.tif 000010
【図９】
2009073233.tif 000011